(57)【要約】【課題】ティッシュを取り出して遊びながら、出したものを自分で片付けるということを学ぶことができるシート取り出しおもちゃを提供する。【解決手段】シート取り出しおもちゃ１１は、内部に空間を有する容器１２と、容器１２の内部に配置され、容器１２内部の空間を第１および第２領域１２ｄ，１２ｅに分割する仕切り部材１４と、第１領域１２ｄと連通して第１領域１２ｄに収納されたシート１６を取り出し可能とする第１シート取出口１２ａと、第２領域１２ｅに連通して取り出したシートを投入可能とするシート投入口１２ｂとを備える。【選択図】図１
2007284106.tif 000002
【特許請求の範囲】
【請求項１】
内部に空間を有する容器と、
前記容器の内部に配置され、前記容器内部の空間を第１および第２領域に分割する仕切り部材とを備え、
前記容器は、前記第１領域と連通して、前記第１領域に収納されたシートを取り出し可能とする第１シート取出口と、
前記第２領域に連通して、取り出したシートの投入を可能とするシート投入口とを有する、シート取り出しおもちゃ。
【請求項２】
前記容器は、前記第２領域と連通して、前記シート投入口から前記第２領域に投入されたシートを取り出し可能とする第２シート取出口とを備える、請求項１に記載のシート取り出しおもちゃ。
【請求項３】
前記シート取り出しおもちゃは、前記容器の第２領域内に配置されて、前記シート投入口から投入されたシートを前記第２シート取出口に案内するシート案内部材をさらに有する、請求項２に記載のシート取り出しおもちゃ。
【請求項４】
前記容器は、蓋付き円筒形状のごみ容器の形態を有しており、
前記容器の外周面には、目および口を有する顔の図形が表現されており、
前記第１シート取り出し口は、口の図形部分に設けられ、
前記シート投入口は、前記蓋によって開閉可能とされている、請求項１〜３のいずれかに記載のシート取り出しおもちゃ。
【発明の詳細な説明】
【技術分野】
【０００１】
この発明は、子供がティッシュ等のシートを取り出して遊ぶことができるシート取り出しおもちゃに関するものである。
【背景技術】
【０００２】
子供は、大人の行動に興味を持って真似しようとする。例えば、大人がティッシュを取り出すのを見て、子供がティッシュ箱から全てのティッシュを取り出してしまう等ということがある。従来では、子供が取り出したティッシュは、実際に使用されることなく廃棄されており、また、部屋中に散乱したティッシュは大人が片付ける必要があった。
【０００３】
そこで、上記の問題点を解消すると共に、子供がティッシュを取り出して遊ぶことができるティッシュ型おもちゃが特開２００５−１３４１７号公報（特許文献１）に記載されている。同公報に記載されているティッシュ型おもちゃは、シートを入れる収納体と、上面に取り出し穴を有する蓋とが開閉可能な状態で取り付けられている。
【０００４】
このティッシュ型おもちゃは、収納体にティッシュを模したシートを収納し、取り出し穴から取り出し可能とすることにより、幼児期の「引っ張り出す」という興味を損なわせず、楽しむことができると記載されている。
【特許文献１】特開２００５−１３４１７号公報
【発明の開示】
【発明が解決しようとする課題】
【０００５】
近年、おもちゃの役割は、子供を楽しませるというだけでなく、遊びを通じて子供が生活に必要な事柄を習得できることが期待されている。例えば、ティッシュを取り出して遊んだ後には、取り出したティッシュを自分で片付けることも重要であって、これを興味を持ちながら学べるおもちゃであることが望ましい。
【０００６】
上記構成のティッシュ型おもちゃは、シートを収納体に入れるために収納体と蓋とが開閉可能となっているが、これは大人がシートを収納体に戻して子供が再度遊べるようにするためのものであって、子供が取り出したシートを自分で元に戻すことを企図したものではないと考えられる。
【０００７】
そこで、この発明の目的は、ティッシュを取り出して遊びながら、出したものを自分で片付けるということを学ぶことができるシート取り出しおもちゃを提供することである。
【課題を解決するための手段】
【０００８】
この発明に係るシート取り出しおもちゃは、内部に空間を有する容器と、容器の内部に配置され、容器内部の空間を第１および第２領域に分割する仕切り部材とを備える。そして、容器は、第１領域と連通して、第１領域に収納されたシートを取り出し可能とする第１シート取出口と、第２領域に連通して、取り出したシートの投入を可能とするシート投入口とを有する。
【０００９】
上記構成のシート取り出しおもちゃは、第１シート取出口から取り出したシートをシート投入口に入れて遊ぶ。これにより、子供が遊びを通じて、出したものを自分で片付けるということを学ぶことができる。
【００１０】
好ましくは、容器は、第２領域と連通して、シート投入口から第２領域に投入されたシートを取り出し可能とする第２シート取出口とを備える。これにより、シート投入口から投入したシートを第２シート取出口から再度取り出して遊ぶことが可能となる。
【００１１】
さらに好ましくは、シート取り出しおもちゃは、容器の第２領域内に配置されて、シート投入口から投入されたシートを第２シート取出口に案内するシート案内部材をさらに有する。これにより、第２シート取出口からシートを取り出しやすくなる。
【００１２】
一実施形態として、容器は、蓋付き円筒形状のごみ容器の形態を有しており、容器の外周面には、目および口を有する顔の図形が表現されており、第１シート取り出し口は、口の図形部分に設けられ、シート投入口は、蓋によって開閉可能とされている。
【発明を実施するための最良の形態】
【００１３】
図１〜図３を参照して、この発明の一実施形態に係るシート取り出しおもちゃ１１を説明する。なお、図１はシート取り出しおもちゃ１１の正面図、図２はシート取り出しおもちゃ１１の背面図、図３はシート取り出しおもちゃ１１の内部構造を示す図である。
【００１４】
シート取り出しおもちゃ１１は、第１および第２シート取出口１２ａ，１２ｃおよびシート投入口１２ｂを有する容器１２と、容器１２の上面に配置されてシート投入口１２ｂを開閉可能とする蓋１３と、容器１２の内部を第１および第２領域１２ｄ，１２ｅに分割する仕切り部材１４と、第２領域１２ｅ内に配置されて、シート投入口１２ｂから投入されたシート１６を第２シート取出口１２ｃに案内するシート案内部材１５とを備え、第１領域１２ｄにシート１６が収納されている。
【００１５】
容器１２は、底面から上方に向かって広がる略円筒形状であって、下部側面に第１および第２シート取出口１２ａ，１２ｃが互いに反対向きに設けられており、上面の開口部はシート投入口１２ｂとなっている。また、容器１２の内部は、仕切り部材１４によって第１および第２領域１２ｄ，１２ｅに分割されている。
【００１６】
また、容器１２および蓋１３は金属をプレス成型して形成されており、容器１２の側面に縦長の凹部を複数設ける等して、全体として蓋付きのゴミ箱との印象を受けるような形態となっている。さらに、容器１２側面の正面中央部には２つの目が描かれており、目の下に口を模した形状の第１シート取出口１２ａが設けられて、口から舌が出ているように第１シート取出口１２ａからシート１６の一部が飛び出している。
【００１７】
仕切り部材１４は、第１シート取出口１２ａが第１領域１２ｄに連通し、シート投入口１２ｂおよび第２シート取出口１２ｃが第２領域１２ｅに連通するように、容器１２の内部を分割する。なお、この実施形態における仕切り部材１４は、シート１６を収容する箱であって、例えば、市販のティッシュ箱等が該当する。
【００１８】
案内部材１５は、容器１２を斜めに横切るように配置される板状の部材であって、シート投入口１２ｂから案内部材１５の上面に落ちたシート１６が第２シート取出口１２ｃの近くに集まるようにスロープを形成している。なお、案内部材１５は、第１領域１２ｄにシート１６を収納可能とするために、容器１２に対して着脱自在となっている。
【００１９】
シート１６は、第１シート取出口１２ａから取り出し可能な状態で第１領域１２ｄに収納されている。この実施形態におけるシート１６は、箱に収納された市販のティッシュであるが、これに限ることなく、この発明に適用可能なシート１６としては、ハンカチ、タオル、またはトイレットペーパー等であってもよい。
【００２０】
上記構成のシート取り出しおもちゃ１１において、子供は、まず第１シート取出口１２ａからシート１６を取り出す。次に、蓋１３を外して取り出したシート１６をシート投入口１２ｂに投入する。これにより、シート投入口１２ｂに投入されたシート１６は第２シート取出口１２ｃから取り出し可能となる。次に、第２シート取出口１２ｃからシート１６を取り出して、再度シート投入口１２ｂに投入する。
【００２１】
例えば、大人が子供の前で上記のようにして見せることによって、子供は興味を持って真似をする。これにより、子供は、遊びを通して取り出したものを自分で片付けることを覚える。
【００２２】
また、シート投入口１２ｂの周辺に発音体や発光体を取り付けて、シート１６をシート投入口１２ｂに入れたとき、若しくは蓋１３を外したときに、音が鳴ったり光ったりさせてもよい。これにより、子供にシート１６をシート投入口１２ｂに入れることに強い興味を抱かせることができる。
【００２３】
また、シート１６をティッシュとした場合でも、シート投入口１２ｂから第２領域１２ｅに収納されたティッシュは第２シート取出口１２ｃから取り出して使用可能となるので、子供がティッシュ遊びをしても無駄になることがない。
【００２４】
次に、図４を参照して、この発明の他の実施形態に係るシート取り出しおもちゃ２１を説明する。なお、シート取り出しおもちゃ２１の外観は、図１および図２に示したシート取り出しおもちゃ１１と共通であるので、内部構造を中心に説明する。
【００２５】
シート取り出しおもちゃ２１は、第１および第２シート取出口２２ａ，２２ｃおよびシート投入口２２ｂを有する容器２２と、容器２２の内部の空間を第１および第２領域２２ｄ，２２ｅに分割する仕切り部材２４とを備え、第１領域２２ｄには、一部が第１シート取出口２２ａから突出するシート２６が収容されている。また、仕切り部材２４は、シート投入口２２ｂから投入されたシート２６を第２シート取出口２２ｃに案内するシート案内部材としても機能する。
【００２６】
なお、上記の各実施形態においては、シート案内部材を有するシート取り出しおもちゃ１１，２１の例を示したが、シート案内部材はこの発明の必須の構成要素ではない。例えば、図５を参照して、図３に示すシート取り出しおもちゃ１１の案内部材１５を取り外した状態で使用してもよい。
【００２７】
また、図６を参照して、図４に示すシート取り出しおもちゃ２１の変形例として、容器３２の内部を上下に分割するように仕切り部材３４を容器３２の底面と平行に配置してもよい。なお、この場合においては、第２シート取出口３２ｃは、第１シート取出口３２ａよりも上側に位置することになる。
【００２８】
また、上記の各実施形態においては、投入口から投入されたシートを再度取り出すことができるようにシート取出口を２箇所設けた例を示したが、第２シート取出口を設けない場合であっても、子供が出したものを自分で片付けることを覚えるというこの発明の効果を得ることはできる。
【００２９】
なお、上記の各実施形態においては、金属をプレス加工して形成した容器の例を示したが、これに限ることなく、任意の構成の容器を採用することができる。例えば、樹脂材料を射出成型して形成してもよいし、木製の容器であってもよい。または、図７を参照して、容器４２と、蓋４３と、仕切り部材４４とを備えるこの発明の他の実施形態に係るシート取り出しおもちゃ４１は、クッションのような軟らかい素材で形成された容器４２の形状を保持するために、形状保持部材４５を容器４２の内部に配置している。なお、その他の構成は、シート取り出しおもちゃ１１と共通するので説明は省略する。
【００３０】
形状保持部材４５は、直径の異なる２枚の円板４５ａ，４５ｂと、２枚の円板４５ａ，４５ｂの間に配置される複数の柱部４５ｃとを有し、容器４２の形状に合わせて直径の大きい円板４５ａを上にして容器４２内に配置する。また、円板４５ａは、シート投入口４２ｂと第２領域４２ｅとを連通させるために中央に穴が設けられている。
【００３１】
これにより、容器４２の形状を保持しつつ、子供が触れる部分を軟らかい素材にすることによって、安全で、かつ感触を楽しみながら遊ぶことができるシート取り出しおもちゃ４１を得ることができる。
【００３２】
さらには、上記の各実施形態におけるシート取り出しおもちゃは、椅子として使用することもできる。例えば、図１〜図６に示すシート取り出しおもちゃ１１，２１，３１は、蓋１３，２３，３３を取り外して、容器１２，２２，３２を天地を逆にして床面上に載置すれば椅子として使用することができる。また、図７に示すシート取り出しおもちゃ４１は、そのままの状態（形状保持部材４５を容器４２の中に収納した状態）で椅子として使用できる他、形状保持部材４５を容器４２から取り出して直径の小さい円板４５ｂを上にしても椅子として使用することができる。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３４】
この発明は、子供が遊びを通して学ぶことができるシート取り出しおもちゃに有利に利用される。
【図面の簡単な説明】
【００３５】
【図１】この発明の一実施形態に係るシート取り出しおもちゃの正面図である。
【図２】図１のシート取り出しおもちゃの背面図である。
【図３】図１のシート取り出しおもちゃの内部構造を示す図である。
【図４】この発明の他の実施形態に係るシート取り出しおもちゃの内部構造を示す図である。
【図５】図３のシート取り出しおもちゃから案内部材を取り出した状態を示す図である。
【図６】この発明の他の実施形態に係るシート取り出しおもちゃを示す図である。
【図７】この発明の他の実施形態に係るシート取り出しおもちゃを示す図である。
【符号の説明】
【００３６】
１１，２１，３１，４１  シート取り出しおもちゃ、１２，２２，３２，４２  容器、１２ａ，１２ｃ，２２ａ，２２ｃ，３２ａ，３２ｃ，４２ａ，４２ｃ  取出口、１２ｂ，２２ｂ，３２ｂ，４２ｂ  シート投入口、１２ｄ，１２ｅ，２２ｄ，２２ｅ，３２ｄ，３２ｅ，４２ｄ，４２ｅ  領域、１３，２３，３３，４３  蓋、１４，２４，３４，４４  仕切り部材、１５  案内部材、４５  形状保持部材、１６，２６，３６，４６  シート。
【図１】
2007284106.tif 000003
【図２】
2007284106.tif 000004
【図３】
2007284106.tif 000005
【図４】
2007284106.tif 000006
【図５】
2007284106.tif 000007
【図６】
2007284106.tif 000008
【図７】
2007284106.tif 000009